【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】ディジタルコンテンツ生成方法及び関連装置
【手続補正２】
【補正対象書類名】明細書
【補正対象項目名】特許請求の範囲
【補正方法】変更
【補正の内容】
【特許請求の範囲】
【請求項１】
第１のディジタルコンテンツから第２のディジタルコンテンツを生成する方法であって、
前記第１のディジタルコンテンツから第１のディジタルコンテンツコピーを生成し、
前記第１のディジタルコンテンツに基づき第２のディジタルコンテンツコピーを生成し、
前記第２のディジタルコンテンツコピーを暗号化して第１の暗号化ディジタルコンテンツコピーを生成し、
前記第２のディジタルコンテンツは前記第１のディジタルコンテンツコピーと前記第１の暗号化ディジタルコンテンツコピーとを含むことを特徴とするディジタルコンテンツ生成方法。
【請求項２】
請求項１記載のディジタルコンテンツ生成方法であって、
前記第１のディジタルコンテンツコピーは、前記第１のディジタルコンテンツよりも少ない情報量を有することを特徴とするディジタルコンテンツ生成方法。
【請求項３】
請求項１記載のディジタルコンテンツ生成方法であって、
前記第２のディジタルコンテンツコピーの品質のレベルは前記第１のディジタルコンテンツコピーの品質のレベルよりも低いことを特徴とするディジタルコンテンツ生成方法。
【請求項４】
請求項１記載のディジタルコンテンツ生成方法であって、
前記第２のディジタルコンテンツコピーは、前記第１のディジタルコンテンツコピーから生成されることを特徴とするディジタルコンテンツ生成方法。
【請求項５】
請求項１記載のディジタルコンテンツ生成方法であって、
前記第１のディジタルコンテンツコピーを生成する工程は、前記第１のディジタルコンテンツを符号化する工程を含むことを特徴とするディジタルコンテンツ生成方法。
【請求項６】
請求項１記載のディジタルコンテンツ生成方法であって、
前記第１のディジタルコンテンツコピーを生成する工程は、前記第１のディジタルコンテンツをデータ圧縮する工程を含むことを特徴とするディジタルコンテンツ生成方法。
【請求項７】
請求項１記載のディジタルコンテンツ生成方法であって、
前記第１のディジタルコンテンツコピーを生成する工程は、前記第１のディジタルコンテンツの一部分を削除する工程を含むことを特徴とするディジタルコンテンツ生成方法。
【請求項８】
請求項１記載のディジタルコンテンツ生成方法であって、さらに、
前記第１のディジタルコンテンツに基づき第３のディジタルコンテンツコピーを生成する工程と、
前記第３のディジタルコンテンツコピーを暗号化して、第２の暗号化ディジタルコンテンツコピーを生成する工程と、
前記第２の暗号化ディジタルコンテンツコピーを暗号化して、２重に暗号化されたディジタルコンテンツコピーを生成する工程とを有し、
前記第２のディジタルコンテンツは、前記２重に暗号化されたディジタルコンテンツコピーを有することを特徴とするディジタルコンテンツ生成方法。
【請求項９】
請求項８記載のディジタルコンテンツ生成方法であって、
前記第１のディジタルコンテンツコピー、前記第２のディジタルコンテンツコピー、および前記第３のディジタルコンテンツコピーの品質のレベルは、互いに異なることを特徴とするディジタルコンテンツ生成方法。
【請求項１０】
請求項８記載のディジタルコンテンツ生成方法であって、
前記第１のディジタルコンテンツコピーを生成する工程は、前記第１のディジタルコンテンツを第１の符号化パラメータで符号化する工程を含み、
前記第２のディジタルコンテンツのコピーを生成する工程は、前記第１のディジタルコンテンツを前記第１の符号化パラメータと異なる第２の符号化パラメータで符号化する工程を含むことを特徴とするディジタルコンテンツ生成方法。
【請求項１１】
第１のディジタルコンテンツから第２のディジタルコンテンツを生成する方法であって、
前記第１のディジタルコンテンツの１以上の連続したコピーを、少なくとも前記１以上の連続したコピーのいずれかは異なった品質のレベルを有するように生成し、
ｎ回連続して暗号化したコピーは、ｎ−１回連続して暗号化した暗号化コピーよりも１回多く暗号化するように前記連続したコピーのそれぞれを暗号化して１以上の連続した暗号化コピーを生成し、
前記第２のディジタルコンテンツは、前記１以上の連続した暗号化コピーを含むことを特徴とするディジタルコンテンツ生成方法。
【請求項１２】
請求項１１記載のディジタルコンテンツ生成方法であって、
それぞれの連続したコピーの品質のレベルは、前のコピーの品質のレベルよりも低いことを特徴とするディジタルコンテンツ生成方法。
【請求項１３】
請求項１１記載のディジタルコンテンツ生成方法であって、
１以上の連続したコピーを生成する工程は、前記第１のディジタルコンテンツを符号化する工程を含むことを特徴とするディジタルコンテンツ生成方法。
【請求項１４】
請求項１１記載のディジタルコンテンツ生成方法であって、
それぞれのコピーは、他のコピーを生成するのに用いられる符号化パラメータと異なった符号化パラメータを用いて前記第１のディジタルコンテンツを符号化することによって生成されることを特徴とするディジタルコンテンツ生成方法。
【請求項１５】
請求項１１記載のディジタルコンテンツ生成方法であって、
前記第１のディジタルコンテンツの前記連続したコピーのそれぞれは、１回以上のデータ圧縮処理を前記第１のディジタルコンテンツに適用することによって生成されることを特徴とするディジタルコンテンツ生成方法。
【請求項１６】
請求項１１記載のディジタルコンテンツ生成方法であって、
前記第１のディジタルコンテンツの前記連続したコピーのそれぞれは、前記第１のディジタルコンテンツの前のコピーからディジタルコンテンツの一部を削除することによって生成されることを特徴とするディジタルコンテンツ生成方法。
【請求項１７】
請求項１１に従って生成された保護対象のディジタルコンテンツをコピーする方法であって、
前記保護対象のディジタルコンテンツを復号して当該保護対象のディジタルコンテンツのコピーを生成し、
前記保護対象のディジタルコンテンツのコピーを表現する出力データを、記憶媒体に格納するに適した形式で生成することを特徴とするディジタルコンテンツ生成方法。
【請求項１８】
請求項１１に従って生成された保護対象のディジタルコンテンツをコピーする方法であって、
前記保護対象のディジタルコンテンツを復号して当該保護対象のディジタルコンテンツのコピーを生成し、ここで保護対象のディジタルコンテンツは暗号化されていないコピーと１以上の連続した暗号化コピーを含み、上記復号化の工程は暗号化されていないコピーの削除を含み、
前記保護対象のディジタルコンテンツのコピーを表現する出力データを、記憶媒体に格納するに適した形式で生成することを特徴とするディジタルコンテンツ生成方法。
【請求項１９】
ディジタル情報のコピーを生成する方法であって、
第１の記憶媒体にアクセスして第１のディジタル情報を取得し、
ここで前記第１のディジタル情報はディジタルコンテンツの複数のコピーを含み、前記ディジタルコンテンツの第１のコピーは暗号化されないものであって前記ディジタルコンテンツの第２のコピーは１回だけ暗号化されたものであるというように前記ディジタルコンテンツの連続したコピーの各々は連続して１回ずつ多く暗号化されたものであり、
前記第１のディジタル情報を復号して第２のディジタル情報を生成して、ディジタルコンテンツのコピーの各々が１回だけ少なく暗号化されている状態とし、ディジタルコンテンツの前記第２のコピーが暗号化されない状態とし、
前記第２のディジタル情報を、記憶媒体に格納するに適した形式で出力することを特徴とするディジタルコンテンツ生成方法。
【請求項２０】
請求項１９記載のディジタルコンテンツ生成方法であって、
ディジタルコンテンツの２つ以上のコピーは、異なる品質のレベルをもつことを特徴とするディジタルコンテンツ生成方法。
【請求項２１】
請求項１９記載のディジタルコンテンツ生成方法であって、
ディジタルコンテンツのコピーの各々は、ディジタルコンテンツの他のコピーの符号化パラメータとは異なる符号化パラメータで符号化されたものであり、ディジタルコンテンツの複数のコピーの間で異なる品質のレベルのコピーを生成することを特徴とするディジタルコンテンツ生成方法。
【請求項２２】
請求項１９記載のディジタルコンテンツ生成方法であって、
さらに、ディジタルコンテンツの前記第１のコピーを除去する工程を含み、これによって前記第２のディジタル情報がディジタルコンテンツの前記第１のコピーのない状態にすることを特徴とするディジタルコンテンツ生成方法。
【請求項２３】
第１のディジタルコンテンツから第２のディジタルコンテンツを生成する方法であって、
前記第１のディジタルコンテンツの２つ以上のコピーの各々を暗号化して複数の暗号化コピーを生成し、前記暗号化コピーの各々に対応する暗号キーを持たせ、
前記対応する暗号キーの各々を、対応する暗号キーの各々が他の対応する暗号キーとは異なる回数だけ暗号化されるように０回以上暗号化して複数の暗号化されたキーを生成し、
前記ディジタルコンテンツが複数の暗号化コピーと複数の暗号化されたキーを含むようにすることを特徴とするディジタルコンテンツ生成方法。
【請求項２４】
請求項２３記載のディジタルコンテンツ生成方法であって、
前記第１のディジタルコンテンツの２つ以上のコピーは、前記第１のディジタルコンテンツの他の２つ以上のコピーの品質のレベルとは異なる品質のレベルをもつことを特徴とするディジタルコンテンツ生成方法。
【請求項２５】
請求項２３記載のディジタルコンテンツ生成方法であって、
前記第１のディジタルコンテンツの連続した２つ以上のコピーの各々は、その前のコピーの品質のレベルより低い品質のレベルをもつことを特徴とするディジタルコンテンツ生成方法。
【請求項２６】
第１のディジタルコンテンツからその再生に適した再生コンテンツを生成する装置であって、
前記第１のディジタルコンテンツを受け取り、品質のレベルに関する第１の情報を受け取るよう動作する第１の回路であって、前記第１の情報によって決定される品質のレベルをもつ前記第１のディジタルコンテンツのコピーであるところのディジタルコンテンツのバージョンを生成するよう動作する第１の回路と、
前記第１の回路から前記ディジタルコンテンツのバージョンを受け取り、暗号化回数に関する第２の情報を受け取るよう動作する第２の回路であって、前記暗号化回数に等しい回数だけ暗号化されたディジタルコンテンツの暗号化されたバージョンを生成するよう動作するよう動作する第２の回路とを有し、
前記再生コンテンツは、ディジタルコンテンツの複数の暗号化バージョンを含み、そのディジタルコンテンツの暗号化バージョンの各々は、他のディジタルコンテンツの暗号化バージョンとは異なる回数だけ暗号化されたものであることを特徴とする再生コンテンツの生成装置。
【請求項２７】
請求項２６記載の装置であって、
ディジタルコンテンツのバージョンの各々は、ディジタルコンテンツのその前のバージョンの品質のレベルより低い品質のレベルをもつことを特徴とする再生コンテンツの生成装置。
【請求項２８】
請求項２６記載の装置であって、
前記第１の回路は、前記第１のディジタルコンテンツの１つ以上の部分を削除することによってディジタルコンテンツのバージョンを生成することを特徴とする再生コンテンツの生成装置。
【請求項２９】
第１のディジタルコンテンツから再生可能なディジタルコンテンツを生成する装置であって、
前記第１のディジタルコンテンツの複数のコピーを生成する第１の手段であって、２つ以上の前記コピーは他のコピーの品質のレベルとは異なる品質のレベルをもつところの第１の手段と、
前記第１の手段と接続されて動作し、前記第１のディジタルコンテンツのコピーの各々について暗号化ディジタルコンテンツのコピーを生成する第２の手段であって、暗号化ディジタルコンテンツの連続したコピーの各々は１つ前の暗号化ディジタルコピーより１回だけ多く暗号化されたものであるところの第２の手段と、
前記再生可能なディジタルコンテンツは、暗号化ディジタルコンテンツの複数のコピーを含むことを特徴とする再生コンテンツの生成装置。
【請求項３０】
請求項２９記載の装置であって、
前記第１のディジタルコンテンツの連続したコピーの各々は、前記ディジタルコンテンツの１つ前のコピーより低い品質のレベルをもつことを特徴とする再生コンテンツの生成装置。
【請求項３１】
ディジタルコンテンツを格納する記憶装置であって、
記憶媒体と、
第１のディジタルコンテンツから暗号化ディジタルコンテンツを生成するよう動作する第１の回路であって、前記暗号化ディジタルコンテンツは関連する暗号キーをもち、前記暗号化ディジタルコンテンツを前記記憶媒体に格納するよう動作する第１の回路と、
暗号化されたキーを生成するよう動作する第２の回路であって、前記暗号化されたキーは、関連する前記暗号キーを０回以上暗号化したものであり、前記暗号化されたキーを前記記憶媒体に格納するよう動作する第２の回路とを有し、
前記記憶媒体は、前記第１の回路から１つ以上の暗号化ディジタルコンテンツを受け取り、前記第２の回路から１つ以上の暗号化されたキーを受け取るよう構成されることを特徴とする記憶装置。
【請求項３２】
請求項３１記載の記憶装置であって、
前記第１の回路は、さらに前記第１のディジタルコンテンツの品質のレベルを、２つ以上の前記暗号化ディジタルコンテンツが他の暗号化ディジタルコンテンツの品質のレベルとは異なる品質のレベルをもつように低下させるよう動作することを特徴とする記憶装置。
【請求項３３】
暗号化された第１のディジタルコンテンツをコピーする装置であって、
前記第１のディジタルコンテンツを復号して第２のディジタルコンテンツを生成するよう動作する第１の回路であって、前記第２のディジタルコンテンツは暗号化されていないディジタルコンテンツと１つ以上の暗号化ディジタルコンテンツとを含み、暗号化ディジタルコンテンツのコピーの各々は１回以上暗号化されたものであるところの第１の回路と、
前記第２のディジタルコンテンツの出力データを生成する出力回路とを有することを特徴とする装置。
【請求項３４】
暗号化されたディジタルコンテンツをコピーする装置であって、
前記ディジタルコンテンツを復号して第２のディジタルコンテンツを生成するよう動作する第１の回路であって、前記ディジタルコンテンツは第１の暗号化されていないディジタルコンテンツと暗号化ディジタルコンテンツの１つ以上の第１のコピーを含み、前記第１の暗号化されていないディジタルコンテンツを除去するよう動作する第１の回路と、
前記第２のディジタルコンテンツの出力データを生成する出力回路であって、前記第２のディジタルコンテンツは第２の暗号化されていないディジタルコンテンツと暗号化ディジタルコンテンツの１つ以上の第２のコピーとを含むところの出力回路とを有することを特徴とする装置。
【請求項３５】
ディジタルコンテンツを格納する記憶装置であって、
記憶媒体と、
第１のディジタルコンテンツを暗号化して関連する暗号キーをもつ暗号化ディジタルコンテンツを生成する第１の手段と、
前記関連する暗号キーを０回以上暗号化して暗号化されたキーを生成する第２の手段とを有し、
前記記憶媒体は、前記第１の手段から１つ以上の暗号化ディジタルコンテンツを受け取り、前記第２の手段から１つ以上の暗号化されたキーを受け取ることを特徴とする記憶装置。
【請求項３６】
請求項３５記載の記憶装置であって、
前記第１の手段は、さらに前記第１のディジタルコンテンツの品質のレベルを低下させる手段を含み、２つ以上の暗号化ディジタルコンテンツが他の暗号化ディジタルコンテンツの品質のレベルと異なる品質のレベルをもたせるようにすることを特徴とする記憶装置。
【請求項３７】
ディジタルコンテンツをコピーする装置であって、
第１のディジタルコンテンツを復号して第２のディジタルコンテンツを生成する手段であって、前記第１のディジタルコンテンツは暗号化ディジタルコンテンツの１つ以上の第１のコピーを含み、第１のコピーの各々は、０回以上暗号化されたものであり、前記第２のディジタルコンテンツは暗号化されていないディジタルコンテンツと暗号化ディジタルコンテンツの１つ以上の第２のコピーとを含み、第２のコピーの各々は０回以上暗号化されたものであるところの手段と、
前記第２のディジタルコンテンツの出力データを生成する手段とを有することを特徴とするディジタルコンテンツのコピー装置。
【請求項３８】
ディジタルコンテンツをコピーする装置であって、
第１のディジタルコンテンツを復号して第２のディジタルコンテンツを生成する手段であって、前記第１のディジタルコンテンツは第１の暗号化されていないディジタルコンテンツと暗号化ディジタルコンテンツの１つ以上の第１のコピーを含み、前記第１の暗号化されていないディジタルコンテンツを除去する手段とを有するところの手段と、
前記第２のディジタルコンテンツについて出力データを生成する手段であって、第２のディジタルコンテンツが第２の暗号化されていないディジタルコンテンツと暗号化ディジタルコンテンツの１つ以上の第２のコピーとを含むところの手段とを有することを特徴とするディジタルコンテンツのコピー装置。